Podtech/llm-jp-corpus-v4-ja_patent huggingface dataset:
(57)【要約】      （修正有）【課題】ワークのキズなどの検査を行う自動外観検査装置において使用される把持装置において、大きさが小さく、周囲への干渉がない外観検査用把持装置を提供する。【解決手段】  本発明は、前記した課題を解決する手段として、エアーなどの駆動源により爪がワークをクランプする把持装置と、ワークを照らすライトと、ワークの形状を撮影するカメラを有する把持装置において、把持装置の中心と、カメラのレンズの中心と、ライトの中心が同一線上に配置した。【選択図】    図１
2007144546.tif 000002
【特許請求の範囲】
【請求項１】
本発明は、エアーなどの駆動源により爪がワークをクランプする把持装置と、ワークを照らすライトと、ワークの形状を撮影するライトを有する把持装置において、把持装置の中心と、カメラのレンズの中心と、ライトの中心が同一線上に配置したことを特徴とする外観検査用把持装置。
【請求項２】
ライトをリング状に形成し、カメラのレンズをライトの中央に配置したことを特徴とする請求項１の外観検査用把持装置。
【請求項３】
リング状に形成されたライトを、複数のＬＥＤで構成したことを特徴とする請求項１及び請求項２の外観検査用把持装置。
【発明の詳細な説明】
【技術分野】
【０００１】
本発明は、ワークのキズなどの検査を行う自動外観検査装置において使用される把持装置に関するものである。
【背景技術】
【０００２】
加工ラインなどにおいて、加工機で加工したワークに傷やバリが無いかを検査する必要があり、検査方法には作業者が拡大鏡を使って目視を行う場合や、カメラで撮影した画像を画像処理装置で判別する方法が行われている。
【０００３】
カメラで撮影した画像を画像処理装置で判別する方法は、大量生産された単一の部品を検査するのに適しており、作業者が目視で検査する方法に較べて人件費削減のため積極的に進められている。
【０００４】
その方法としては、コンベアなどで加工機から搬送されてきたワークを、コンベア上またはコンベアから仮置き台の上に搬送し、ワークにライトで光を当ててカメラで撮影した画像を画像処理装置で解析して良品と不良品に選別して次の工程に搬送する。
【０００５】
搬送装置としては、コンベアなどでは払い出し装置をコンベア上に設置して不良品を払い出す方法が一般的であるが、別のラインへの移動や、仮置き台などに移し換える必要がある場合には搬送用ロボットなどに把持装置を付けてワークを把持し、搬送を行う。
【０００６】
ライトやカメラを固定して置き、把持装置により搬送してきたワークをカメラの焦点位置に移動させて画像処理する方法もとられているが、図４に示すように、ロボットに把持装置とライトとカメラを固定し、把持のためにロボットが移動する工程で外観検査を行い、把持装置でワークを把持して搬送を行う方法もとられている。
【０００７】
しかしながら図４の方法は、カメラやライトが把持装置の横に飛び出るため、周囲に干渉する装置などがある場合には使用することができない。
【特許文献１】特開平１１−２４８４２２号公報
【特許文献２】特開２００２−２０２２６４号公報
【特許文献３】特開平９−１６０６２２号公報
【発明の開示】
【発明が解決しようとする課題】
【０００８】
本発明は、ワークのキズなどの検査を行う自動外観検査装置において使用される把持装置において、大きさが小さく、周囲への干渉がない外観検査用把持装置を提供することを目的とする。
【課題を解決するための手段】
【０００９】
本発明は、前記した課題を解決する手段として、エアーなどの駆動源により爪がワークをクランプする把持装置と、ワークを照らすライトと、ワークの形状を撮影するライトを有する把持装置において、把持装置の中心と、カメラのレンズの中心と、ライトの中心が同一線上に配置されていることを特徴とする外観検査用把持装置を構成する。
【００１０】
また、カメラのレンズを取り囲む様にライトをリング状に形成する。
【００１１】
さらに、リング状に形成されたライトを複数のＬＥＤで構成する。
【発明の効果】
【００１２】
エアーなどの駆動源により爪がワークをクランプする把持装置と、ワークを照らすライトと、ワークの形状を撮影するライトを有する把持装置において、把持装置の中心と、カメラのレンズの中心と、ライトの中心が同一線上に配置されていることを特徴とする外観検査用把持装置を構成することにより、把持装置からの出っ張りがなくなり、周囲の装置と干渉することがなくなる。
【００１３】
また、把持装置のクランプ動作と画像処理装置の画像撮影の動作が同じ動作でできるため、従来の別々の動作に較べ、サイクルタイムが短くなる。
【００１４】
また、カメラのレンズを取り囲む様にライトをリング状に形成することにより、カメラとライトがオーバーラップすることができるので、長さを短くすることができる。
【００１５】
さらに、リング状に形成されたライトを複数のＬＥＤで構成することにより、画像処理に適した照度にライトの光をコントロールすることができるので、画像の微調整が簡単である。
【発明を実施するための最良の形態】
【００１６】
以下、本発明の実施の形態を図面に基づいて説明する。
【実施例１】
【００１７】
図１に示すように本実施例の外観検査用把持装置は、ロボット５に取り付けられた把持装置１の中心とライト３の中心とカメラ４の中心を同一線上に配置する。
【００１８】
ライト３の中央にはカメラ４が配置されており、カメラ４とライト３の長さがオーバーラップしているため全長が短く、複数のＬＥＤ８をリング状に配置しているので、カメラ４のレンズから画像を撮影したときに、均一な光を照射することができる。
【００１９】
ライト３とカメラ４は把持装置１の中央に固定され、ライト３およびカメラ４に干渉しないように爪２が形成されている。
【００２０】
次に動作について説明する。
【００２１】
従来は、仮置き台７の上に置かれたワーク６を検査及び搬送するのに、カメラ４及びライト３の焦点距離までロボット５で移動させて画像を撮影後、ワーク上方の待機位置に把持装置を移動させてからクランプのために下方に移動していたが、本発明の構成にしたことにより、画像撮影の場所と、クランプのための待機位置が同じになるため、ロボット動作を減らす事ができる。
【産業上の利用可能性】
【００２２】
上記外観検査用把持装置は、外観検査装置用の把持装置を目的としているが、たとえば遠隔操作を行うマニュプレータに対しても有効である。
【図面の簡単な説明】
【００２３】
【図１】本実施例の全体図
【図２】本実施例のカメラとライトの説明図
【図３】本実施例の外観検査用把持装置の正面図
【図４】従来例の説明図
【符号の説明】
【００２４】
１    把持装置
２    爪
３    ライト
４    カメラ
５    ロボット
６    ワーク
７    仮置き台
８    ＬＥＤ
９    基盤
１０  遮光板
【図１】
2007144546.tif 000003
【図２】
2007144546.tif 000004
【図３】
2007144546.tif 000005
【図４】
2007144546.tif 000006
(57)【要約】【課題】  プラスチック付アルミニウムを適切に剥離分離処理することでアルミニウムとプラスチックの再利用を可能としたもので、資源、エネルギーの有効活用を図るものである。【解決手段】一定適正油温と適正比率の油を溶融媒体として使用し、アルミニウムとプラスチックを剥離、分離し一定の圧力でそれぞれの油を搾りアルミニウムとプラスチックを回収、それらを連続して行う装置である。【選択図】図１
2007144970.tif 000002
【特許請求の範囲】
【請求項１】
油を溶融媒体として使用し、プラスチックを溶融しアルミ又はアルミ箔にプラスチックを重ね合わせたフィルム又は製品からアルミニウムとプラスチックを分離し一定の圧力でそれぞれの油を絞り、アルミニウムとプラスチックを回収する装置。
【発明の詳細な説明】
【技術分野】
【０００１】本発明はアルミニウム又はアルミ箔に付着しているプラスチック等の全ての製品においてリサイクルを可能とするものである。
【背景技術】
【０００２】熱分解炉装置でプラスチック成分をガス化し、アルミニウムのみを取り出す又は熱源として焼却処理をしている（特許文献１参照）。
【特許文献１】  特開平０１−２８７２３１号  公報
【発明の開示】
【発明が解決しようとする課題】
【０００３】解決しようとする問題点は、熱分解炉では高温での処理の為、安全設備、排ガス処理設備、等莫大な付帯設備が必要であり、アルミを酸化させずに取り出す事においても問題を抱えている。又アルミのリサイクルだけでプラスチック部分はガス化による利用の可能性は有るが、安全制御が難しく有効なリサイクルが難しい点である。
【問題を解決するための手段】
【０００４】本発明は、油を溶融媒体としアルミニウとプラスチックの品質を維持したまま分離回収する装置。
【発明の効果】
【０００５】（イ）アルミニウムとプラスチックの両方のリサイクルが可能
（ロ）連続運転が可能な為小型で処理能力が高く設備費用を安価にできる。
（ハ）アルミを酸化させずにほぼ１００％に近い状態で取出しが可能。
（ニ）燃焼を伴う排ガス処理設備を伴わない。
本発明は、これらの効果をもたらすものである。
【発明を実施するための最良の形態】
【０００６】以下、本発明の実施例について説明する。
（イ）プラスチック付アルミ製品を適当な大きさに破砕又は処理出来うる形状に整える。
（ロ）形状を整えた製品を網カゴ（１）に入れ適正油温（２）に接触、撹拌させてアルミニウムとプラスチックを分離させる。
（ハ）分離させたアルミを昇降装置（３）で上部に移動させて油蒸気、噴射ノズル（４）で洗浄しアルミニウムを取り出す。
（ニ）分離した各々に一定の圧力をかけて油を搾りアルミニウムとプラスチックを取り出す。
（ホ）容器（５）内部で剥離、分離、洗浄を行う。
本発明は以上のような構造でこれお連続的に行う。
【図面の簡単な説明】
【０００７】
【図１】  本発明の断面図である。
【符号の説明】
【０００８】（１）網カゴ
（２）油
（３）昇降装置
（４）油蒸気、噴射ノズル
（５）容器
【図１】
2007144970.tif 000003
(57)【要約】【課題】  押し印としての使用可能期間を延ばすことにより印材を無駄なく活用し、もって地球資源の有効利用に寄与し自然環境の保全に資することができる押し印を実現する。【解決手段】  円柱状に形成された印材２の両端面を、所定の文字等を彫り刻んだ印面３−１，３−２として形成する。【選択図】図１
2007144968.tif 000002
【特許請求の範囲】
【請求項１】
所定形状の印材（２）の両端面を印面（３−１，３−２）として形成した押し印。
【請求項２】
閉口している面壁の内壁に朱肉を所定の肉厚に展着した、クリップ（８）を有するキャップ（７）を前記印材（２）の一方の端部に脱着可能に嵌合した請求項１記載の押し印。
【発明の詳細な説明】
【技術分野】
【０００１】  本発明は押し印に関する。具体的には、とくに印面に苗字が彫り刻まれた認め印などの日常的に用いられる押し印に適したものであって、押し印としての使用可能期間を延ばすことにより印材を無駄なく活用し、もって地球資源の有効利用に寄与し自然環境の保全に資することができる押し印を提供せんとするものである。
【背景技術】
【０００２】  従来より用いられている、各種の書類や伝票類などに押印する認め印を例にとると、その形状は一般に円柱状に形成され、一方の端面を印面として使用する。そして、印面には、円輪郭とこれに囲まれる苗字を刻むことが多い。【０００３】  このような認め印を用いて押印する場合は、容器に収容された朱肉やインキ含浸材の上面部に印面を押し当てて、朱肉やインキを印面に充分に付着させた後、書類や伝票類の所定箇所に印面を押し当てることになる。
【発明の開示】
【発明が解決しようとする課題】
【０００４】  しかしながら、従来より用いられている認め印などの押し印によると、つぎのような解決すべき課題がある。すなわち、押し印の使用を継続すると、印面において凸部に形成された円輪郭や苗字が部分的に欠けたり、磨り減ったりして、印影が不完全あるいは不鮮明になることがある。印面の円輪郭や苗字の部分が欠けたり磨り減ったりするのは、とくに認め印にあっては、価格の低廉さが求められるため、耐用性に優れた素材を用いないことに起因する。【０００５】  そこで、印影が不完全であったり不鮮明であったりすることが好まれない場合は、新たに印面が同一構成の押し印を購入しなければならないことになる。【０００６】  このように、従来の押し印には、押し印としての寿命についての配慮がなされていないため、印面の円輪郭や苗字の部分が欠けたり磨り減ったりした場合は、消耗品のごとく使い捨てられていたという解決すべき課題があった。
【課題を解決するための手段】
【０００７】  そこで、上記課題に照らし、本発明はなされたものである。そのために、本発明では、印材の両端面を印面として形成することにより、１つの印材に２つの印面を設けるようにした。
【発明の効果】
【０００８】  本発明によるならば、印材の両端面を印面として形成するようにしたので、押し印の継続的使用により、一方の印面における凸部に形成された文字部分などに欠損が生じたり、磨り減ったりして、印影が不完全あるいは不鮮明になっても、他方の印面を使用することができるので、押し印としての使用可能期間を延ばすことができる。【０００９】  押し印としての使用可能期間が延びれば、印材を無駄なく活用することが可能となる結果、地球資源の有効利用に寄与することになり自然環境の保全に資することにもなる。したがって、本発明による押し印がもたらす効果は、実用上極めて大きい。
【発明を実施するための最良の形態】
【００１０】  本発明を実施するための最良の形態を、図１に示し説明する。ここで、図１は、本発明による押し印の構成を示す斜視図である。【００１１】  図１において、押し印１は、円柱状に形成されており、印材２の両端面が、漢字「米」が彫り刻まれて印面３−１，３−２として形成されている。すなわち、本発明による押し印１には、１つの印材２に２つの印面３−１，３−２が設けられている。【００１２】  したがって、一方の印面３−１を使用しているうちに、その印面３−１における「米」の文字部分が欠けたり磨り減ったりして印影が不完全あるいは不鮮明になったために、そのままでの押し印としての使用を避けたい場合は、その印面３−１の使用を停止して他方の印面３−２を使用すればよいことになる。【００１３】  一方の印面３−１における文字部分が欠けたり磨り減ったりしていない間は、使用しない他方の印面３−２を保護するために、図２（ａ）（側面図）に示すように、接着力が弱い接着剤が片面に塗布されて剥離可能な円形のシート材４を、印面３−２に貼着しておく構成としてもよい。【００１４】  ここにおけるシート材４の素材としては、例えばゴム類を用いてもよいが、透明または半透明のプラスチックを用いるならば、押し印１の印形をシート材４を透かして確認することができることになる。このことは、とくに、複数の同一形状の押し印を立てた状態で支持具に支持する場合であっても、各押し印の印形を容易に確認することができ有効である。【００１５】  このような押し印の印形の確認は、図２（ｂ）（部分断面図）に示すように、印材２における使用しない他方の印面３−２側の端部に、透明または半透明のプラスチック製の円筒状のキャップ５を脱着可能に嵌合する構成とすることによっても達成することができる。【００１６】  さらに、図３（部分断面図）に示すように、印材２の一方の端部に、透明または半透明のプラスチック製の円筒状のキャップ６を脱着可能に嵌合するとともに、印材２の他方の端部に、胸ポケットなどに押し印１を係止するためのクリップ８を有するキャップ７を脱着可能に嵌合する構成とするようにしてもよい。その場合、クリップ８を有するキャップ７は、透明または半透明でなくともよい。【００１７】  また、クリップ８を有するキャップ７における閉口している面壁の内壁に、朱肉を所定の肉厚に展着する構成とするならば、キャップ７を充分に押圧して印材２に嵌合することにより、印材２の印面に朱肉を付着させることができることから、押印が必要な場合は、キャップ７を外せば直ちに押印することが可能となる。
【図面の簡単な説明】
【００１８】
【図１】  本発明の１つの実施の形態を示す斜視図である。
【図２】  図１に示した押し印の印面を保護するための構成を示す構成図である。
【図３】  図１に示した押し印の印面を保護するとともに押し印を係止するための構成を示す構成図である。
【符号の説明】
【００１９】  １  押し印
２  印材
３−１，３−２  印面
４  シート材
５  キャップ
６  キャップ
７  クリップ
８  キャップ
【図１】
2007144968.tif 000003
【図２】
2007144968.tif 000004
【図３】
2007144968.tif 000005
(57)【要約】【課題】捨てないでおいた水が溜まり、汚濁することが原因で生じるカビ、ボウフラの発生を防ぐことを目的とする。【解決手段】水抜き用の排出口を水切り籠の端につけ、さらに内部を傾斜させ水が流れるようにする。【選択図】図１
2007144073.tif 000002
【特許請求の範囲】
【請求項１】
置かれた洗浄済みの食器から流れた水を捨てるための排出口のついた水切り籠。
【請求項２】
前記水抜き用排出口に水を集中させるために、傾斜と溝をつけた排出口付き水切り籠。
【発明の詳細な説明】
【技術分野】
【０００１】本発明は、台所で食器の洗浄の直後に使用する水切り籠に関するものである。
【背景技術】
【０００２】商用、個人用を問わず、台所では食器を洗浄した直後に、水の付着したままの食器を一時的に水切り籠に置く。水切り籠は二重構造になっており、上部分は穴があいて籠状に、下部分は水の溜まる容器状になっている。水のついた食器は上部分におかれる。籠状になっている穴から水は流れ落ち、下部分の容器に水が溜まる仕組みである。洗浄した食器が水切り籠にある程度たまったあとに食器の水をふきとり、食器棚に置くことになる。その間に水切り籠の中には食器から流れ落ちた水が溜まる。図３に記す。
【発明の開示】
【発明が解決しようとする課題】
【０００３】解決しようとする問題点は、食器洗浄の度に溜まった水をそのままにしておくと、溜まった水が汚濁し、カビが生えたりボウフラが発生したりすることである。また水切り籠の水を捨てるという作業は煩雑なため、忘れがちで行われないことが多い点である。
【課題を解決するための手段】
【０００４】本発明は水切り籠の下部の水の溜まる部分に水抜きのための排出口をつくることにより、水を人間の手を加えることなく流し台などに排出する。【０００５】本発明の水抜き用排出付き水切り籠は、水の流れる道筋を意図的につくり、人の手を介さずに水が捨てられるようにする。
【発明の効果】
【０００６】煩雑な動作である「水抜き」を人の手を介さずに行うので、水切り籠の中が常に乾燥し、カビ、ボウフラなどの発生を防ぐ利点がある。
【発明を実施するための最良の形態】
【０００７】水切り籠を傾斜させ、水の排出口から人の手をかけずに水を捨てる、という目的を実現した。
【実施例】
【０００８】図１は、本発明の実施例の一つである。水切り籠の下部の水が溜まる床面部分３に傾斜する溝２をつけ、水が流れるようにする。傾斜の最も低い位置に排出口４をつける。水は水抜き用排出口から人間の手を介さずに排出される。
図２は排出口を中心にした切断した図である。５に示すとおり、床面が傾斜して水が流れるようになっている。
【他の実施形態１】
【０００９】水切り籠の水がたまる下部と、水を切る上部の籠部分の中間に、水を流すための傾斜と溝がついたトレイ状の部分を挿入する。その傾斜の最下部から水がながれるように排出口をつくる。同時に最下部の水が溜まる部分にも排出口をつける。
【他の実施形態２】
【００１０】水切り籠そのものに傾斜のための土台をつける。同時に水切り籠は傾斜の最も低い位置に排出口をつける。
【図面の簡単な説明】
【００１１】
【図１】水切り口付き水切り籠の実施方法を示した説明図１である。（実施例）
【図２】図１の切断図である。
【図３】従来技術を示す。
【符号の説明】
【００１２】  １  水切り籠上部
２  水が流れるための溝
３  傾斜がついている床面
４  水抜き用排出口
５  水切り籠下部切断面
６  水切り籠下部
【図１】
2007144073.tif 000003
【図２】
2007144073.tif 000004
【図３】
2007144073.tif 000005
(57)【要約】【課題】    ユーザーにとってプレイ履歴ログ、ステータスはクライアントまたはサーバーへ保管されているにもかかわらず、ゲームデータとはなんら連動しない形で自ら時間を割いて記録するしか手段がなく、さらには別途日記、ブログサイトと契約していない場合、他ユーザーとのコミュニケーションのためにプレイ履歴ログ、ステータスを記録、表示する場所がなかった。【解決手段】    インターネット上で単独または複数のユーザーがサーバー上へ接続し、単独ゲームプレイまたは複数人数で通信対戦を行うオンラインゲームにおいて、クライアントおよびサーバーへ保存される各ユーザーがプレイした履歴ログ、および任意の画面写真、ステータスなど、関連履歴ログの一切を自動記録し、日記、ブログ用スクリプトに動的に生成する装置、方法およびプログラムおよびシステム【選択図】図１
2007144072.tif 000002
【特許請求の範囲】
【請求項１】
インターネット上で単独または複数のユーザーがサーバー上へ接続し、単独ゲームプレイまたは複数人数で通信対戦を行うオンラインゲームにおいて、クライアントおよびサーバーへ保存される各ユーザーがプレイした履歴ログ、および自動／任意の画面写真、ステータスなど、関連履歴ログの一切を自動記録し、日記、ブログ用記述言語に動的に生成する装置、方法、プログラムおよびシステム
【発明の詳細な説明】
【技術分野】
【０００１】    本発明はオンラインゲームにおける自動日記／ブログ生成機能に関する。特にクライアントまたはサーバーの保管されるゲームデータを動的に日記、ブログ用装置、方法、プログラムおよびシステムに関する。
【背景技術】
【０００２】    ユーザーは自らがプレイした履歴について自らの日記、ブログへ手動にて書き込んでいる。
【発明の開示】
【発明が解決しようとする課題】
【０００３】    プレイ履歴ログ、ステータスはクライアントまたはサーバーへ保管されているにもかかわらず、ユーザーはゲームデータとはなんら連動しない形で自ら時間を割いて記録するしか手段がなく、自らがプレイした履歴について自らの日記、ブログへ手動にて書き込んでおり、さらには別途日記、ブログサイトと契約していない場合、他ユーザーとのコミュニケーションのためにプレイ履歴ログ、ステータスを記録、表示する場所がなかった。【０００４】    本発明は、上記問題を解決する自動日記、ブログ用記述言語生成装置、方法、プログラムおよびシステムを提供することを目的とする。
【課題を解決するための手段】
【０００５】    すなわち、本発明では、ユーザーがプレイした履歴ログの一切を記録し、そのデータを動的に日記、ブログ用へ自動的に生成する装置であり、履歴ログを記録するユーザーデータベースとその履歴ログから日記、ブログ用記述言語へ自動変換するプログラムと、そのスクリプトをＷＥＢへ表示するＷＥＢサーバー部分とを備える。
【発明の効果】
【０００６】    上記の通り、ユーザーは自ら別途日記、ブログへ書き込むことなく、プレイ履歴ログの一切を自動的に自らの日記、ブログへ表示し、確認することができる。
【図面の簡単な説明】
【０００７】
【図１】    本発明の実施に係る自動日記、ブログ用記述言語生成プログラムおよびシステムを示す図である。
【符号の説明】
【０００８】００１  ゲームホスティングサーバー
００２  ユーザーデータベースサーバー
００３  プレイ履歴ログ保存プログラム、システム
００４  日記、ブログ用動的記述言語生成プログラム、システム
００５  日記、ブログ用ＷＥＢサーバー
【図１】
2007144072.tif 000003
(57)【要約】【課題】近年、洗濯物の物干し具には、ハンガーを使用することが多いことから、洗濯物を掛けた物干しハンガーを一度にまとめて運ぶことができ、かつ物干し竿に干す動作及び取り込む動作が容易で迅速、かつ効率的に行うことができる簡便な物干しハンガーキャリヤーを提供することにある。【解決手段】ハンガーキャリヤー主体は、頭部にＵ字形状のフック部を冠し、下部に洗濯場の壁等からの余剰空間を設定するための棒状突起を有する同形状の縦枠棒を左右に配し、この縦枠棒下部に複数の、Ｕ字、またはＶ字形状の物干しハンガー吊り下げ部を備えた下部横棒を縦枠棒間に連接させ、また縦枠棒の中間位置付近には、運搬時のバランス調整を容易にするため、長い形状の把手部を備えた上部横棒を縦枠棒間に連接した構成とする。【選択図】図１
2007144077.tif 000002
【特許請求の範囲】
【請求項１】
ハンガーキャリヤー主体は、頭部にＵ字形状のフックを部を冠し、下部に洗濯場壁等からの空間を設定するための、棒状突起を有する同形状の縦枠棒を左右に配し、この縦枠棒下部に複数のＵ字、またはＶ字形状の物干しハンガー吊り下げ部を備えた下部横棒を縦枠棒間に連接させ、縦枠棒の中間位置付近には、把手部を備えた上部横棒を縦枠棒間に連接した構成であって、前記、把手部は、運搬時のバランス調整を容易にするため、３個手幅程度の長い形状とするを特徴とする物干しハンガーキャリヤー
【発明の詳細な説明】
【技術分野】
【０００１】  本発明は、近年、洗濯物の物干し具には、ハンガーを使用することが多いことから、洗濯物を掛けた複数の物干しハンガーを一度にまとめて運ぶことができ、かつ物干し竿に干す動作及び取り込む動作が容易で迅速、かつ効率的に行うことができる物干しハンガーキャリヤーに関するものである。
【背景技術】
【０００２】  一般的には、洗濯物を干すには夏の暑い日、冬の寒い日も、洗った洗濯物を洗濯籠に入れて屋外の物干し竿の所に運び、下に置いた洗濯籠から腰を屈めて一つずつ洗濯物を取り出し、用意した物干し用ハンガーに掛けて、これを物干し竿に吊していく。この動作を小移動しながら繰り返す。そして、乾いた洗濯物を取り込むには同じ場所で、干す逆順で洗濯籠に収納して屋内に取り込むのが通常であった。
なお、三角形状の吊り下げ器付きハンガーとして、洗濯物の出し入れを容易にする目的とした発明が知られている（特許文献１）。
【特許文献１】特許公開平１０−４３０３２号公報
【発明の開示】
【発明が解決しようとする課題】
【０００３】  そのために、次のような問題点があった。
（イ）夏の暑い日、冬の寒い日の屋外での、洗濯物の一連の干す作業、取り込む作業はともに、見た目よりも大変である。特に、大家族で大量の洗濯物を干す作業は、洗濯籠から腰を屈めたり、立ち上がったりして、一つずつ洗濯物を取り出し、物干しハンガーに掛け、物干し竿に吊すという動作の繰り返しであり、結構時間、体力を要するし、腰への負担が大きく重労働である。
（ロ）知られている吊り下げ器付きハンガーは、当該ハンガーに濡れている重い物干しハンガーを数多く吊して運ぶに際して、把手部が無いことから、フック部に指を入れて運ぶことになり、指に痛感を起こす恐れがある。また、運搬時及び物干し竿に吊すに際しては、把手部を兼ねたフック部がハンガーの三角頂点部分に一カ所だけのため、バランスが取りにくく、使いづらいものである。
本考発明は以上の問題点を解決しようとするものである。
【課題を解決するための手段】
【０００４】  上記の目的を達成するために、ハンガーキャリヤー主体は、頭部にＵ字形状のフック部を冠する縦枠棒を左右に配し、この縦枠棒下部に壁との間隔設定をなすための棒状の突起及び複数のＵ字形状の物干しハンガー吊り下げ部を備えた下部横棒を縦枠棒間に連接させ、また、縦枠棒の中間位置付近にバランス調整を容易にする長い把手部をもつ上部横棒を縦枠棒間に連接した構成とする。
以上を特徴とする物干しハンガーキャリヤーである。
【発明の効果】
【０００５】（イ）以上により、干す作業は、夏の暑い日、冬の寒い日も、室内の洗濯場で、濡れた洗濯物を掛けた複数の物干しハンガーを、ハンガーキャリヤーに吊し、長くできている把手部の握る位置を微妙に調整することで、バランス良く、一挙に物干し竿まで運ぶことが可能となる。また、把手部の形状、大きさから保持する手が痛くなることもない。次いで、ハンガーキャリヤーのＵ字形状のフック部を物干し竿に掛けるが、二つの支点で保持されるため、ここでもバランスが良好に保たれる。次いで、ハンガーキャリヤーをスライドさせつつ、順次、物干しハンガーを物干し竿に移していく。また、取り込む動作は、この概ね逆順で行うことになる。以上のように、物干し場での干す作業及び取り込む作業ともに、下に置いた洗濯籠に腰を屈めるというような余分な動作を必要としない。総じて、運搬及び物干し竿に干す動作ならびに取り込む動作が容易で迅速、かつ効率的に行えるのである。
（ロ）本発明の副次効果として、物干しハンガーを吊したままの状態で、物干し装置としても使用できるものである。
【発明を実施するための最良の形態】
【０００６】以下、本発明の実施の形態を説明する。
（イ）ハンガーキャリヤー主体は、頭部にＵ字形状のフック部（１ａ）を冠し、下部に洗濯場の壁等から、物干しハンガーを吊すための余剰空間を設定する棒状突起（１ｂ）を有する同形状の縦枠棒（１）を左右に配し、この縦枠棒（１）下部に複数のＵ字、またはＶ字形状の物干しハンガー吊り下げ部（２ａ）を備えた下部横棒（２）を縦枠棒（１）間に連接させ、また、縦枠棒（１）の中間位置付近に把手部（４）を備えた上部横棒（３）を縦枠棒（１）間に連接した構成とする。
（ロ）上記、把手部（４）は、運搬時のバランス調整を容易にするため、３個手幅程度の長形状とし、また握りやすい大きさとする。
（ハ）上記、把手部（４）の中央下部には、洗濯状等の壁にハンガーーキャリヤーのＵ字形状のフック部を掛けるための横棒状の支持具が設置されていない場合を考慮し、釘形状の１本の支持具にも対応できる環形形状の予備掛け部（５）を設ける。
【図面の簡単な説明】
【０００７】
【図１】本発明の斜視図
【図２】本発明の干す動作、取り込み動作を現す使用図
【符号の説明】
【０００８】１    縦枠棒
１ａ  フック部
１ｂ  棒状突起
２    下部横棒
２ａ  物干しハンガー吊り下げ部
３    上部横棒
４    把手部
５    予備掛け部
【図１】
2007144077.tif 000003
【図２】
2007144077.tif 000004
(57)【要約】【課題】カップなどを挟むんで固定する機能をもった食器具の柄構造を提供する。【解決手段】  柄本体と、該柄本体にヒンジ部を介して一体に設けられた挟み部と、該挟み部をテコの原理で持ち上げるように延設されたレバー部とより構成される食器具の柄構造である。【選択図】図９
2007144071.tif 000002
【特許請求の範囲】
【請求項１】
柄本体と、該柄本体にヒンジ部を介して一体に設けられた挟み部と、該挟み部をテコの原理で持ち上げるように延設されたレバー部とより構成される食器具の柄構造。
【請求項２】
柄本体に欠削部を設け、該欠削部空間内に挟み部を配置した請求項１の食器具の柄構造。
【発明の詳細な説明】
【技術分野】
【０００１】  本発明は食器具の柄構造に関するものである。
【背景技術】
【０００２】  従来、図１に示すようにプラスチック等で柄の先端部で折り返すようにフック部が形成されたものがあった。
【発明の開示】
【発明が解決しようとする課題】
【０００３】  従来のものはフック式であるから装着の際、対象物を安定させた状態で力を加えてフック部が押し開くことで装着可能であり、そのために対象物をしっかり手で押さえる必要があった。従って対象物が熱い場合は素手で押えて装着するのが難しかった。
また、図２（ａ）で示すように対象物の挟む部分が小さく、一方に壁があるようなときは、図２（ｂ）に示すようにフックを押した場合壁に当たって反対側に逃げようとする力が働きフックが外れてしまうことがあった。
さらに、図３で示すようにフック式は対象物に圧力を加えながら押し進めるため、対象物がウレタン樹脂や紙など柔らかい場合は変形して傾斜がつき、後戻りや横にずれることがあり的確な場所を挟めないことがあった。
本発明はこれらの問題を解決するためになされたものである。
【課題を解決するための手段】
【０００４】  柄本体と、該柄本体にヒンジ部を介して一体に設けられた挟み部と、該挟み部をテコの原理で持ち上げるように延設されたレバー部とより構成される食器具の柄構造である。
【発明の効果】
【０００５】  本発明は図４（ａ），（ｂ）に示すようにテコの原理で挟み部を持ち上げて開いた状態で柄本体との間に対象物を置き、挟み部を閉じることにより挟むために装着途中で対象物に力が加わる事が無く、対象物が熱い場合でも軽く押さえるだけで容易に挟むことが出来る。
また、僅かな縁の部分に他の物を挟む場合や挟む対象物が柔らかくても、装着途中で対象物に上下に力が加わらないため、図４（ｂ）のように従来のフック式の図３の変形状況と比較して挟んだ部分のみが変形するため後戻りや横ずれすることが無い。
柄に欠削部を設け、挟み部を空間内に配置した場合は、挟み部が柄本体より突出せず、梱包する時等かさ張らず、柄から突出していないために何かに引っ掛かり難くなり握った手などに対する安全性が向上する。
【発明を実施するための最良の形態】
【０００６】  以下、本発明の実施の形態について先端にスプーンが付いた例で説明する。
本発明は図５に示すように柄本体（１）と、該柄本体に設けられた欠削部（５）と、ヒンジ部（４）を介して設けられた挟み部（２）と、該挟み部をテコの原理で持ち上げるように挟み部に延設されたレバー部（３）とが一体成型となった食器具の柄構造である。
柄本体（１）は、棒状であり、先端には通常使用されているスプーン形状やフォーク形状などと同様の食器具としての機能のすくい部（７）を備えていて、それぞれの機能に耐えうる強度を有している。また柄の中間から柄のすくい部反対側端部まで欠削部（５）が設けられていて、該欠削部空間内に挟み部（２）が配置された状態になっている。さらにヒンジ（４）が接続された位置から柄のすくい部反対側端部までレバー部（３）の可動をスムースにするための可動用欠削部（８）を有している。
挟み部（２）は、同様に棒状で、柄本体（１）との間に物を挟める位置関係にあり、ヒンジ（４）を介して欠削部空間内に配置された状態で柄本体に接続されていて、先端には挟んで押さえるための突起（６）を有している。挟み部の厚みや長さは物を挟むだけの硬さや強度があればよく、挟む対象物や目的によって異なる。
レバー部（３）は挟み部（２）に延設されたものである。
本発明は以上のような構成で、使用実施例を図６（ａ），（ｂ）に示めす。使用の方法は図７に示すように（ａ）の如くレバー部（３）を柄本体（１）に近づけるように摘んでテコの原理によって挟み部（２）を開き、（ｂ）のように挟む対象物を挟み部（２）と柄本体（１）の間に置いて、（ｃ）のようにレバー部（３）への加圧をやめて対象物を挟み固定する。
欠削部（５）は挟み部（２）が柄本体（１）より突出させないために設けられたもので、挟み部（２）が空間内にちょうど収まる大きさになっていて、梱包する時等かさ張らないことや、柄から突出していないので何かに引っ掛かり難く握った手などに対する安全性を高める効果がある。
尚、挟み部（２）の先端に設けられた突起（６）は図８に示すように（６ａ）、（６ｂ）、（６ｃ）の箇所に複数設けたり、いずれか一箇所にする等、目的を達成する範囲内で設定可能である。【０００７】  以下、他の形態について説明する。
図９に示すように［発明を実施するための最良の形態］の［０００６］で説明した形態に対し柄の中間から柄のすくい部反対側端部まで設けられ欠削部（５）が無く、挟み部が柄から突出した形態で、他は同様の形態を持つ食器具の柄構造である。
この形態の場合は挟み部（２）が柄（１）より突出していて挟み部からすくい部までは障害物がなく、また挟み部を持ち上げているので対象物を挟むまでの過程でどこにも力が掛かることがないため図１０に示すように正面からおよび横方向からも対象物を挟み、固定することができるようになっている。
【図面の簡単な説明】
【０００８】
【図１】  従来品の斜視図
【図２】  従来品の問題点説明図１
【図３】  従来品の特性説明図
【図４】  本発明の効果説明補足図
【図５】  本発明の斜視図
【図６】  本発明の実施例
【図７】  本発明の使用説明図
【図８】  本発明の部分における別形態説明図
【図９】  本発明の他の形態の斜視図
【図１０】  本発明の他の形態の使用説明図
【符号の説明】
【０００９】    １  柄本体、      ２                    挟み部、
３  レバー部、    ４                    ヒンジ、
５  欠削部  、    ６；６ａ；６ｂ；６ｃ  突起、
７  すくい部、    ８                    可動欠削部
【図１】
2007144071.tif 000003
【図２】
2007144071.tif 000004
【図３】
2007144071.tif 000005
【図４】
2007144071.tif 000006
【図５】
2007144071.tif 000007
【図６】
2007144071.tif 000008
【図７】
2007144071.tif 000009
【図８】
2007144071.tif 000010
【図９】
2007144071.tif 000011
【図１０】
2007144071.tif 000012
(57)【要約】      （修正有）【課題】脚や足裏のマッサージを行う場合、知識をもって無ければツボの位置が不明確で効果が薄く、また既存の靴下では足先の形状がマッサージに適していない。【解決手段】ツボの位置を明確に出来るように、靴下本体１の側面、底面にツボに対応した英文字、数字、着色、若しくは名称を記載する。また、つま先に切れ込み２を設け三分割することにより５本指の靴下よりも脱着が容易でマッサージし易くする。【選択図】図１
2007144075.tif 000002
【特許請求の範囲】
【請求項１】
靴下にツボに対応した英文字、数字、色、ツボの名称を記入することにより、ツボの位置判別を容易にするアイデア。
【請求項２】
指の付け根部分をマッサージし易い様につま先部分を三分割している形状。
【発明の詳細な説明】
【技術分野】
【０００１】本発明は靴下に足つぼの位置を印刷することにより手軽に足つぼマッサージができるものであり、つま先部分を３分割することによりマッサージし易い形状にしたものである。
【技術背景】
【０００２】従来は、ツボの位置を記載してある靴下がなかった。
【発明の開示】
【発明が解決しようとする問題】
【０００３】従来脚や足裏のマッサージを行う場合ある程度の知識をもって無ければツボの位置が不明確で効果が薄く、また既存の靴下は足の保温、保護若しくはファッション性を持つものがほとんどであり足先の形状がマッサージに適していない。
【課題を解決するための手段】
【０００４】ツボの位置を明確に出来るように、靴下の側面、底面にツボに対応した英文字、数字、着色、若しくは名称を記載する。また、つま先を『図１−２』『図２−２』『図３−２』のように三分割することによりマッサージし易くまた５本指の靴下よりも脱着が容易になる。
【発明の効果】
【０００５】靴下の側面、底面にツボに対応した英文字、数字、着色、若しくは名称を記載することにより、ツボに関する知識がなくても本発明の靴下を着用する事で、容易にツボの位置を知ることができ、つま先を『図１−２』『図２−２』『図３−２』のように三分割することによりマッサージし易く、また５本指の靴下よりも脱着を容易に行うことが出来る。
（イ）．靴下の底面『図１』、側面『図２』『図３』にツボに対応した英文字、数字、色、名称などを印刷する。
（ロ）．靴下のつま先部分に『図１−２』『図２−２』『図３−２』の切れ込みを入れる。
【実施例１】
【０００６】
【図面の簡単な説明】
【０００７】
【図１】  本発明の足裏正面図である。
【図２】  本発明の側面から見た図である。
【図３】  本発明の真上から見た図である。
【符号の説明】
【０００８】  １  靴下本体
２  つま先部切れ込み
３  ツボに対応した色、英数字、文字、及び名称
【図１】
2007144075.tif 000003
【図２】
2007144075.tif 000004
【図３】
2007144075.tif 000005
(57)【要約】【課題】室内に、洗濯物、衣類ハンガー等を、引っ掛ける場所として、今まではカーテンレール等を使用していると思われるが、今以上に吊り下げる場所がないか、又重さにも耐えられる物は無いかと考え本課題とした。【解決手段】鴨居レールに本品１８または１９を差込む、差込部と鴨居レール溝との当たり面は密着度を確保する為角度を付け、ゴム等の滑り止めを使用し、ばねの力にて鴨居レールを広げる方向に力を働かせる。また１９は、吊荷を吊ることによりシャフトが下がる力を利用し、差し込み部本体が広がり鴨居レールを内側から外側に広げる方向に力を働かせることを特徴とする為、重量物を吊り下げることが可能となる。又、フック下にナットを設け、手で締めることにより、重い、軽い関係なく使用出来る。このレールハンガーフックのサイズを替える事により窓のサッシのレールにも取り付けることができ製作者、使用者のアイデアで、いろいろな用途に使用可能となる。【選択図】図３
2007144078.tif 000002
【特許請求の範囲】
【請求項１】
鴨居レール溝に差し込み、ばね等の弾性力とゴム等の摩擦力を利用して使用するレールハンガーフック。
【請求項２】
鴨居レール溝に差し込み、ばね等の弾性力とゴム等の摩擦力と吊荷の重量を利用し、鴨居レール溝の内側から外側に働く力を利用して使用するレールハンガーフック。
【発明の詳細な説明】
【技術分野】
【０００１】本案は主に鴨居レール溝にハンガーフックを取り付け、あらゆる物を吊るすことを目的としたものである。
【背景技術】
【０００２】従来は鴨居レール溝に装着するハンガーフックはなかった。【０００３】
【特許文献１】
【発明の開示】
【発明が解決しようとする課題】
【０００４】本来洗濯物を室内に干す場合、洗濯物・衣類ハンガーを引っ掛ける場所として、長押、カーテンレール等を使用する事が主流だったが、長押の傷及び重さに耐えられずカーテンレールの脱落等の問題があった。また今以上に室内で洗濯物・衣類・吊り下げ使用玩具等を吊り下げる場所が無いか、傷を付けず・強度的に満足する方法は無いかと考え本発明の課題とした。
【課題を解決するための手段】
【０００５】課題を解決する為、請求項１の発明は、鴨居レールに本品を差込み、鴨居レール溝との当たり面はゴム等の滑り止めを使用し、差込部とレールを密着させる為、差込部に角度をつけ、ばねの力にて鴨居レールを広げる方向に力を働かせることを特徴とし、いろいろな物を吊り下げることが可能となる。【０００６】また、請求項２の発明は、鴨居レールに本品を差込み、鴨居レール溝との当たり面はゴム等の滑り止めを使用、差込部とレールを密着させる為、差込部に角度をつけばねの力にて鴨居レールを広げる方向に力を働かせる。吊荷を吊ることによりシャフトが下がる力を利用し、本体が広がり鴨居レールを内側から外側に広げる方向に力を働かせることを特徴とする為、重量物を吊り下げることが可能となる。又、フック下にナットを設け、手で締めることにより、重い、軽いに関係なく鴨居レールに頑丈に取り付け使用する事が出来る。
【発明の効果】
【０００７】本発明によりハンガーを、長押、カーテンレールに引っ掛ける事もなく重い物も吊るすことが可能となる。
【実施例】
【０００８】本発明を実施する為に、最初Ｕ字型にスプリングを取り付けハンガーフックとして使用可能と判断したが軽い物でも脱落、次にスプリングを強くし、鴨居レール溝との当たり面にゴムを貼り付け、レールと密着するように角度をつけた所、軽いものであれば吊り下げられたが重い物を吊るすと脱落した。思考し、フック内側にエッジを付け、フックの先に三角の楔を設け吊るしたところ滑り落ちる事もなく鴨居レールとフックの当たりが強く保持され、重い物でも吊るす事に成功した。又このレールハンガーフックのサイズを替える事により窓のサッシのレールにも取り付けることができ製作者、使用者のアイデアで、いろいろな用途に使用可能となる。
【図面の簡単な説明】
【０００９】
【図１】本発明の請求項１の正面図と側面図である。
【図２】本発明の請求項２の正面図と側面図と上部から見た断面図である。
【図３】本発明の請求項１、請求項２の鴨居レールに装着した時の側面図である。
【符号の説明】
【００１０】  １    請求項１の正面図
２    請求項１の側面図
３    鴨居レールに装着時に、密着度を確保する為の角度を取った差込み部分
４    ばね
５    ゴム等の滑り止め
６    フックの回転軸
７    請求項２の正面図
８    請求項２の側面図
９    請求項２の上部から見たＡ−Ａ断面
１０    フックが下がるにつれ、差込み部分が鴨居レール内を広げる方向に力を働かせる部分
１１    １０の下がる力を鴨居レール内を広げる方向の力に替える部分なお、角度は、鴨居レール装着時に１０の部材との接地面が平行になる角度とする
１２    フックのシャフト
１３    シャフトが、９のＢ−Ｃ方向にずれる事を防止部分
１４    上部へのシャフトの移動方向を制限するストッパー
１５    下部へのシャフトの移動方向を制限するストッパー
１６    装着時に強制的に、シャフトを下げ固定するためのナットまたは、ストッパーなお図面は、シャフトにねじを切りナットにて固定する機能とする
１７    鴨居レールの断面図
１８    鴨居レール装着時の請求項１
１９    鴨居レール装着時の請求項２
【図１】
2007144078.tif 000003
【図２】
2007144078.tif 000004
【図３】
2007144078.tif 000005
(57)【要約】【課題】巻き爪や陥入爪を処置するための対策として、外科的処置がある。しかし、このような外科療法では、その後の回復までの日常生活に歩行上の制限を強いられる問題点がある。この様な症状を持っている者自身が自ら装着及び取り外しができ、日常生活への歩行制限の少ない巻き爪矯正具が望まれる。【解決手段】巻き爪の幅に合わせて製作された本発明のバネ線材部の両側フック部を巻き爪の両側部に取り付ける。これによりバネ線材の反発力で変形している爪を正常な方向へ引き上げることができる。さらに巻き爪が正常な形になって行くに連れて、バネ線材部は中央のリング部の大きさが変化することで両フック部間の幅と巻き爪の両フック部に掛かる力を適切に保つことが出来る。またバネ線材中央のリング部に付けてある伸縮性バンドを指に巻きつけることにより、バネ線材部が抜けることを防止するとともに、たとえ抜けても脱落し紛失することを防止できる。【選択図】図２
2007144080.tif 000002
【特許請求の範囲】
【請求項１】
バネ性を有する線材で中央部に形成したリング部と、両端のフック部と、前記中央部のリング部に伸縮性バンドを取り付けたことを特徴とする巻き爪矯正具。
【請求項２】
前記バネ線材の中央部のリング部は、巻き爪が正常な形になって行くに連れて大きさが変化することで両フック部間の幅と各フック部と巻き爪に掛かる力を適切に保つことが出来る巻き爪矯正具。
【請求項３】
前記リング部に取り付けた伸縮性バンドは巻き爪の指に巻きつけるか、あるいは前記バンドの一部をテープで前記指に固定することができることを特徴とする巻き爪矯正具。
【発明の詳細な説明】
【技術分野】
【０００１】  本発明は巻き爪や陥入爪による指の炎症を軽減すると共に、巻き爪等による爪の変形を直す矯正具およびそれを用いた矯正方法に関する。
【背景技術】
【０００２】  人体の爪、特に足の親指の爪は、その側縁部が内側に巻き込むように変形しやすい。この様な巻き爪や陥入爪はときには指を化膿するなどの症状を発生させることがある。このような場合、歩行時に全体重が作用する親指では、陥入する爪がより強く陥入部を圧迫して歩行を困難にすることになる。したがって、早期に適切な処置を施す必要がある。
【発明の開示】
【発明が解決しようとする課題】
【０００３】  この様な巻き爪を処置するための対策として、外科的処置がある。しかし、このような外科療法では、その後の回復期に処置部を養生するため歩行が困難になるなど日常生活の制限を強いられる問題点がある。【０００４】  本発明は、巻き爪や陥入爪などの症状を持っている者自身が自ら取り付け及び取り外しができると共に日常生活への負担を最小限として、更に低価格で症状を効果的に改善する巻き爪矯正具を提供することを課題とする。
【課題を解決するための手段】
【０００５】  本発明は、上記目的を達成するため、バネ線材を素材としバネ復元力で巻き爪の爪を正常な方向へ引き上げ、さらに前記バネ線材の中央部に形成されたリング部によるスプリング弾性力で爪を両側から適切な支持力で支える。【０００６】  さらに、前記リング部に取り付けた伸縮バンドを巻き爪の指の付け根に巻き付けるか、前記伸縮バンドの一部を前記指の付け根にテープで固定することで本発明のバネ線材部を前記指の爪から外れにくくすると共に、たとえ爪から外れても脱落や紛失することを避けることが出来る。
【発明の効果】
【０００７】  上述したように本発明の巻き爪矯正具は低価格で日常生活への負担を軽いものとし、巻き爪の症状を持つ者自身で取り付け及び取り外しが出来る巻き爪矯正具を提供する。
【発明を実施するための最良の形態】
【００８】  以下、本発明の実施の形態を図１〜図４に基づいて説明する。【００９】  図１は本考案の概観であり、バネ線材部１と伸縮バンド２で構成される。バネ線材部の両側のフック部１ａと１ｂは巻き爪４を両側から支持する。前記バネ線材部１の中央のリング部１ｃには伸縮バンド２が取り付けてある。【００１０】  図２は本考案の第一実施例である。前記バネ線材部の線形部はバネの復元力により前記フック部１ａと１ｂにより支持された巻き爪４を正常な方向へ引き戻す。さらに巻き爪４が正常な形になって行くに連れ前記リング部１ｃも大きさが変化して前記フック部１ａと１ｂによる巻き爪４を支持する力を適切に維持する。【００１１】  前記リング部１ｃに取り付けられた伸縮バンド２を巻き爪の指５の付け根に巻き付けることで前記バネ線材部１が外れることを避けると共に、たとえ外れても脱落や紛失を避けることが出来る。【００１２】  図３は本考案の第二実施例である。前記リング部１ｃに取り付けられた伸縮バンド２を図２のように巻き爪の指５の付け根に巻き付ける代わりに前期バンド２の一部を巻き爪の指５の付け根にテープ３により固定することもできる。【００１３】  図４は本考案のバネ線材部を巻き爪４に合わせる方法の一例である。巻き爪４の湾曲表面に沿った幅より僅かに広めに製作した前記バネ線材部１は、ペンチ６で前記リング部１ｃを両側から押さえることで前記バネ線材部の幅を微調整できる。逆に前記バネ線材部の幅を僅かに狭く製作した時は、ペンチ６で前記リング部１ｃのリングを広げることで微調整できる。
【図面の簡単な説明】
【００１４】
【図１】    本発明の巻き爪矯正具の概観図
【図２】    第一の実施例
【図３】    第二の実施例
【図４】    バネ線材部の幅調整の実施例
【符号の説明】
【００１５】  １      バネ線材部
１ａ    フック部
１ｂ    フック部
１ｃ    リング部
２      伸縮バンド
３      テープ
４      巻き爪
５      足の親指
６      調整工具のペンチ
【図１】
2007144080.tif 000003
【図２】
2007144080.tif 000004
【図３】
2007144080.tif 000005
【図４】
2007144080.tif 000006